(57)【要約】【課題】  印刷版にたるみを生じさせることなく印刷版を版胴の外周部に装着することができるとともに、印刷版に汚れが付着することを防止することができる印刷装置を提供することを目的とする。【解決手段】  印刷装置は、その周囲に押圧ローラ１２０が配置された第１の版胴１１を備える。押圧ローラ１２０は、押圧ローラ１２０を、第１の版胴１１の外周部に近接した押圧位置と、第１の版胴１１の外周部から離隔した待機位置との間で移動させるための押圧ローラ移動機構１３０に接続される。また、押圧ローラ１２０は、待機位置に配置されるときには、遮蔽部材移動機構１５０に接続される遮蔽部材１４０により第１の版胴１１との間を遮蔽される。【選択図】        図４
2005297440.tif 000002
【特許請求の範囲】
【請求項１】
その外周部に印刷版を装着する版胴と、前記版胴の外周部に装着された印刷版に画像を記録する画像記録装置と、前記版胴の外周部に装着された印刷版にインキを供給するインキ供給装置とを備える印刷装置において、
前記印刷版を前記版胴の外周部に向けて押圧するための前記版胴の外周部に近接した押圧位置と、前記版胴の外周部から離隔した待機位置との間で移動可能な押圧ローラと、
前記押圧ローラを前記押圧位置と前記待機位置との間で移動させる押圧ローラ移動機構と、
前記押圧ローラと前記版胴との間を遮蔽する遮蔽位置と、前記押圧ローラと前記版胴との間を開放する開放位置との間で移動可能な遮蔽部材と、
前記遮蔽部材を前記遮蔽位置と前記開放位置との間で移動させる遮蔽部材移動機構と、
をさらに備えることを特徴とする印刷装置。
【請求項２】
請求項１に記載の印刷装置において、
前記遮蔽部材移動機構は、前記遮蔽部材を、前記押圧ローラの中心軸周りに回転させることにより、前記遮蔽位置と前記開放位置との間で移動させる印刷装置。
【請求項３】
請求項１または請求項２に記載の印刷装置において、
前記遮蔽部材は、前記押圧ローラの移動と同期して移動する印刷装置。
【請求項４】
請求項３に記載の印刷装置において、
前記押圧ローラ移動機構は、
前記押圧ローラの移動の動力源としてのエアシリンダと、
前記エアシリンダを支持する支持部材とを備え、
前記遮蔽部材移動機構は、
前記支持部材に配設されるラックと、
前記押圧ローラの中心軸と同一の中心軸を有し、前記ラックと協働することにより、前記遮蔽部材を前記押圧ローラの中心軸周りに回転させる歯車とを備える印刷装置。
【請求項５】
請求項４に記載の印刷装置において、
前記押圧ローラ移動機構は、前記エアシリンダと前記押圧ローラとに接続され、前記支持部材に配設された軸周りに回転することにより、前記押圧ローラを曲線状に駆動させるための伝達アームをさらに備える印刷装置。
【請求項６】
請求項５に記載の印刷装置において、
前記ラックは、前記支持部材に配設された軸を中心とする円周上に並ぶ歯列を備える印刷装置。
【発明の詳細な説明】
【技術分野】
【０００１】
この発明は、版胴に保持された画像が記録されていない印刷版に画像を記録して製版した後、この印刷版に供給されたインキをブランケット胴を介して圧胴に保持された印刷用紙に転写することにより印刷を行う印刷装置に関する。
【背景技術】
【０００２】
版胴に保持された画像が記録されていない印刷版に画像を記録して製版した後、この印刷版に供給されたインキをブランケット胴を介して圧胴に保持された印刷用紙に転写することにより印刷を行う印刷装置として、例えば、特許文献１に記載される装置が知られている。
【０００３】
特許文献１に記載される装置は、版胴の外周部に装着されるべき印刷版の先端部を、版胴に配設された先端部爪機構における爪と爪座とで狭持することにより、印刷版を版胴の表面において保持する。この装置は、先端部が先端部爪機構における爪と爪座とにより狭持された印刷版を版胴の外周部に向けて押圧するための版胴の表面に近接した押圧位置と、版胴の表面から離隔した待機位置との間で移動可能な押圧ローラを備える。このため、特許文献１に記載される装置によれば、印刷版にたるみを生じさせることなく、印刷版を版胴の外周部に装着することが可能となる。
【特許文献１】特開平１１−７７９６５号公報
【発明の開示】
【発明が解決しようとする課題】
【０００４】
しかしながら、特許文献１に記載される装置は、内部にインキ供給装置を備えることから、インキ供給装置から流出したインキがインキミスト等として押圧ローラに付着する場合がある。この場合に、印刷版がインキミスト等の汚れが付着した押圧ローラにより押圧されると、印刷版にも汚れが転写するという問題が発生していた。
【０００５】
この発明は、以上のような課題を解決するためになされたものであり、印刷版にたるみを生じさせることなく印刷版を版胴の外周部に装着することができるとともに、印刷版に汚れが付着することを少なくすることができる印刷装置を提供することを目的とする。
【課題を解決するための手段】
【０００６】
請求項１に記載の発明は、その外周部に印刷版を装着する版胴と、前記版胴の外周部に装着された印刷版に画像を記録する画像記録装置と、前記版胴の外周部に装着された印刷版にインキを供給するインキ供給装置とを備える印刷装置において、前記印刷版を前記版胴の外周部に向けて押圧するための前記版胴の外周部に近接した押圧位置と、前記版胴の外周部から離隔した待機位置との間で移動可能な押圧ローラと、前記押圧ローラを前記押圧位置と前記待機位置との間で移動させる押圧ローラ移動機構と、前記押圧ローラと前記版胴との間を遮蔽する遮蔽位置と、前記押圧ローラと前記版胴との間を開放する開放位置との間で移動可能な遮蔽部材と、前記遮蔽部材を前記遮蔽位置と前記開放位置との間で移動させる遮蔽部材移動機構とをさらに備えることを特徴とする。
【０００７】
請求項２に記載の発明は、請求項１に記載の印刷装置において、前記遮蔽部材移動機構は、前記遮蔽部材を、前記押圧ローラの中心軸周りに回転させることにより、前記遮蔽位置と前記開放位置との間で移動させる。
【０００８】
請求項３に記載の発明は、請求項１または請求項２に記載の印刷装置において、前記遮蔽部材は、前記押圧ローラの移動と同期して移動する。
【０００９】
請求項４に記載の発明は、請求項３に記載の印刷装置において、前記押圧ローラ移動機構は、前記押圧ローラの移動の動力源としてのエアシリンダと、前記エアシリンダを支持する支持部材とを備え、前記遮蔽部材移動機構は、前記支持部材に配設されるラックと、前記押圧ローラの中心軸と同一の中心軸を有し、前記ラックと協働することにより、前記遮蔽部材を前記押圧ローラの中心軸周りに回転させる歯車とを備える。
【００１０】
請求項５に記載の発明は、請求項４に記載の印刷装置において、前記押圧ローラ移動機構は、前記エアシリンダと前記押圧ローラとに接続され、前記支持部材に配設された軸周りに回転することにより、前記押圧ローラを曲線状に駆動させるための伝達アームをさらに備える。
【００１１】
請求項６に記載の発明は、請求項５に記載の印刷装置において、前記ラックは、前記支持部材に配設された軸を中心とする円周上に並ぶ歯列を備える。
【発明の効果】
【００１２】
請求項１に記載の発明によれば、印刷版を版胴の外周部に向けて押圧するための版胴の外周部に近接した押圧位置と、版胴の外周部から離隔した待機位置との間で移動可能な押圧ローラと、押圧ローラを押圧位置と待機位置との間で移動させる押圧ローラ移動機構と、押圧ローラと版胴との間を遮蔽する遮蔽位置と、押圧ローラと版胴との間を開放する開放位置との間で移動可能な遮蔽部材と、遮蔽部材を遮蔽位置と開放位置との間で移動させる遮蔽部材移動機構とを備えることから、印刷版にたるみを生じさせることなく印刷版を版胴の外周部に装着しながら、印刷版に汚れが付着することを少なくすることが可能となる。
【００１３】
請求項２に記載の発明によれば、遮蔽部材移動機構は、遮蔽部材を、押圧ローラの中心軸周りに回転させることにより、遮蔽位置と開放位置との間で移動させることから、遮蔽部材の収納スペースを縮小することが可能となる。
【００１４】
請求項３および請求項４に記載の発明によれば、遮蔽部材は、押圧ローラの移動と同期して移動することから、押圧ローラが押圧位置に移動するタイミングと遮蔽部材が開放位置に移動するタイミングとを容易に合わせることが可能となる。
【００１５】
請求項５に記載の発明によれば、押圧ローラ移動機構は、エアシリンダと押圧ローラとに接続され、支持部材に配設された軸周りに回転することにより、押圧ローラを曲線状に駆動させるための伝達アームをさらに備えることから、省スペースを実現しながら、印刷版を先端直後から押圧することが可能となる。
【００１６】
請求項６に記載の発明によれば、ラックは、支持部材に配設された軸を中心とする円周上に並ぶ歯列を備えることから、押圧ローラおよび遮蔽部材をスムースに移動させることが可能となる。
【発明を実施するための最良の形態】
【００１７】
以下、この発明の実施の形態について、図面に基づいて説明する。図１は、この発明の第１実施形態に係る印刷装置の側面概略図である。
【００１８】
この印刷装置は、第１、第２の版胴１１、１２に各々２枚ずつ装着された印刷版に画像を記録して製版した後、この印刷版に供給されたインキをブランケット胴を介して圧胴１５、１６に保持された印刷用紙に転写することにより印刷を行うものである。
【００１９】
この印刷装置は、第１の版胴１１と、第２の版胴１２と、第１の版胴１１の外周部に装着されるべき印刷版を第１の版胴１１に供給するための印刷版供給装置１００と、第２の版胴１２の外周部に装着されるべき印刷版を第２の版胴１２に供給するための印刷版供給装置２００と、第１の版胴１１と当接可能に設けられた第１のブランケット胴１３と、第２の版胴１２と当接可能に設けられた第２のブランケット胴１４と、第１のブランケット胴１３に対して当接可能に設けられた第１の圧胴１５と、第２のブランケット胴１４に対して当接可能に設けられた第２の圧胴と、給紙部３１から供給された印刷用紙を第１の圧胴１５に渡すための給紙胴１７と、第１の圧胴１５から受け取った印刷用紙を第２の圧胴に渡すための渡し胴１８と、第２の圧胴１６に隣接して配置された排紙胴１９とを備える。
【００２０】
第１のブランケット胴１３と当接可能に設けられた第１の圧胴１５は、第１の版胴１１および第１のブランケット胴１３の直径の１／２の直径を有する。また、第２のブランケット胴１４と当接可能に設けられた圧胴１６は、第２の版胴１２および第２のブランケット胴１４の直径の１／２の直径を有する。なお、第１および第２の圧胴１５、１６は、印刷用紙の先端を保持して搬送するための図示しないグリッパを有する。
【００２１】
また、第１の圧胴１５に隣接して配設された給紙胴１７は、第１の圧胴１５と同一の直径を有する。この給紙胴１７は、給紙部３１から１枚ずつ供給された印刷用紙の先端部を図示しないグリッパにより保持して搬送する。グリッパにより保持された印刷用紙の先端は、給紙胴１７から第１の圧胴１５への印刷用紙の受け渡し時に、第１の圧胴１５のグリッパにより保持される。
【００２２】
第１の圧胴１５と第２の圧胴１６との間に配設された渡し胴１８は、第１、第２の版胴１１、１２および第１、第２のブランケット胴１３、１４の直径と同一の直径を有する。この渡し胴１８は、第１の圧胴１５から受け取った印刷用紙の先端を図示しないグリッパにより保持して搬送し、この印刷用紙の先端を第２の圧胴１６のグリッパに受け渡す。
【００２３】
第２の圧胴に隣接して配置された排紙胴１９は、第１、第２の版胴１１、１２および第１、第２のブランケット胴１３、１４の直径と同一の直径を有する。この排紙胴１９は、その両端部に一対のチェーン２３を巻回した構造を有し、この一対のチェーン２３を連結する図示しない連結部材上に、グリッパが配設されている。第２の圧胴１６のグリッパにより保持された印刷用紙の先端部は、第２の圧胴１６から排紙胴１９への印刷用紙の受け渡し時に、排紙胴１９のいずれかのグリッパにより保持される。そして、この印刷用紙は、チェーン２３の移動に伴って、排紙部３２上に排出される。
【００２４】
第１、第２の圧胴１５、１６、給紙胴１７、排紙胴１９、第１、第２のブランケット胴１３、１４は、各々その端部に付設されたギヤにより連結されている。さらに、第１のブランケット胴１３と第１の版胴１１、および、第２のブランケット胴１４と第２の版胴１２とは、その端部に付設されたギヤにより各々連結されている。従って、駆動モータの駆動により、これらの第１、第２の版胴１１、１２、第１、第２の圧胴１５、１６、給紙胴１７、排紙胴１９、第１、第２のブランケット胴１３、１４は。互いに同期して回転する。
【００２５】
第１の版胴１１の周囲には、第１の版胴１１の外周部に装着された印刷版に対し、例えばブラック（Ｋ）のインキを供給するためのインキ供給装置２０ａと、第１の版胴１１の外周部に装着された印刷版に対し、例えばマゼンダ（Ｍ）のインキを供給するためのインキ供給装置２０ｂと、印刷版におけるインキ供給装置２０ａによりインキが供給される領域に湿し水を供給するための湿し水供給装置２１ａと、印刷版におけるインキ供給装置２０ｂによりインキが供給される領域に湿し水を供給するための湿し水供給装置２１ｂとが配置されている。また、第２の版胴１２の周囲には、収納部４３に収納された印刷版を第２の版胴１２に供給するための印刷版供給装置２００と、第２の版胴１２の外周部に装着された印刷版に対し、例えばシアン（Ｃ）のインキを供給するためのインキ供給装置２０ｃと、第２の版胴１２の外周部に装着された印刷版に対し、例えばイエロー（Ｙ）のインキを供給するためのインキ供給装置２０ｄと、印刷版におけるインキ供給装置２０ｃによりインキが供給される領域に湿し水を供給するための湿し水供給装置２１ｃと、印刷版におけるインキ供給装置２０ｄによりインキが供給される領域に湿し水を供給するための湿し水供給装置２１ｄとが配置されている。
【００２６】
さらに、第１の版胴１１および第２の版胴の周囲には、それぞれ、収納部４１に収納された印刷版を第１の版胴１１の外周部に供給するための印刷版供給装置１００と、収納部４３に収納された印刷版を第２の版胴１２の外周部に供給するための印刷版供給装置２００と、第１の版胴１１の外周部に装着された印刷版に画像を記録するための画像記録装置３５と、第２の版胴１２の外周部に装着された印刷版に画像を記録するための画像記録装置３６とが配置されている。
【００２７】
図２は、この発明の第１実施形態に係る印刷装置における印刷版供給装置１００を、収納部４１、押圧ローラ１２０、押圧ローラ移動機構１３０、および第１の版胴１１とともに示す概略図である。なお、第２の版胴１２の周囲に配置される印刷版供給装置２００、収納部４３、押圧ローラ２２０、押圧ローラ移動機構２３０については、第１の版胴１１の周囲に配置される印刷版供給装置１００等と同一の構成を有するため、ここでは説明を省略する。
【００２８】
図２に示すように、第１の版胴１１は、印刷版供給装置１００により搬送された印刷版の先端部を保持するための先端部咥え機構１１ａと、印刷版の後端部を保持するための図示しない後端部咥え機構とを備える。
【００２９】
印刷版供給装置１００は、ロール状に巻回された印刷版を収納する収納部４１と、第１の版胴１１との間に配置される。この印刷版供給装置１００は、印刷版を所定の長さに切断するためのカッタ４２と、印刷版を収納部４１から第１の版胴１１へ搬送するための一対の第１ローラ１０３、１０４、一対の第２ローラ１０５、１０６、一対の第３搬送ローラ１１８、１１９、および、一対の搬送ローラ１１１、１１２を備える。
【００３０】
図３は、図２における印刷版供給装置１００の一対の搬送ローラ１１１、１１２を示す正面図である。
【００３１】
一対の搬送ローラ１１１、１１２のうち、印刷版の裏面側と当接可能に配置された搬送ローラ１１１は、印刷版を展張するための搬送ローラである。以下、この搬送ローラを「展張ローラ１１１」と呼称する。また、展張ローラ１１１、従動ローラ１１２のうち、印刷版の表面側に当接可能に配置された搬送ローラ１１２は、自由に回転して印刷版を案内するための搬送ローラである。以下、この搬送ローラを「従動ローラ１１２」と呼称する。ここで、印刷版の裏面側とは、印刷版において第１の版胴１１の外周面に装着される際に第１の版胴１１と接触する側のことをいい、印刷版の表面側とは、印刷版において画像記録装置３５により画像が記録される側のことをいう。
【００３２】
展張ローラ１１１は、第１の版胴１１の回転軸と平行となるように配設された展張ローラ回転軸１１３上に、第１の版胴１１の中央部および両端部と対向する位置に固設される。展張ローラ回転軸１１３は、展張ローラ１１１を回転駆動させるための駆動手段としてのモータ１１７（図６参照）と、展張ローラ１１１を印刷版の搬送方向に対して自由に回転させる一方向クラッチ１１５と、展張ローラ１１１が印刷版の搬送方向へ回転するときに負荷を付与する負荷手段としてのトルク伝達クラッチ１１６とに接続される。これらの一方向クラッチ１１５およびトルク伝達クラッチ１１６は、モータ１１７と展張ローラ１１１との間に配設される。ここで、この明細書中において、トルク伝達クラッチとは、接続される回転軸に対してトルク負荷を伝達および遮断するためのクラッチをいう。なお、この実施形態においては、トルク伝達クラッチ１１６として、特殊な磁性粉体（パウダ）を介してトルクを伝達するパウダクラッチを使用している。このパウダクラッチを使用することにより、トルク負荷の伝達および遮断の切替時に生じる衝撃が微小となり、スムースな動作が可能となる。
【００３３】
従動ローラ１１２は、展張ローラ回転軸１１３と平行となるように配設された従動ローラ回転軸１１４上に、展張ローラ回転軸１１３上に固設される展張ローラ１１１と対向する位置に固設される。従動ローラ回転軸１１４は、この展張ローラ１１１、従動ローラ１１２を印刷版が通過する際の印刷版の移動に伴い印刷版の移動速度と同速度で回転可能となるように図示しない一方向クラッチに接続される。
【００３４】
なお、印刷版の裏面側と当接する第１ローラ１０３、第２ローラ１０５および第３ローラ１１８は、展張ローラ１１１と同様に、それらの回転軸がモータ１１７および一方向クラッチに接続される。また、印刷版の表面側と当接する第１ローラ１０４、第２ローラ１０６および第３ローラ１１９は、従動ローラ１１２と同様に、それらの回転軸が一方向クラッチに接続される。このため、印刷版は、第１ローラ１０３および第２ローラ１０５のモータ１１７による駆動が停止された後においても、一対の第１ローラ１０３、１０４、および、一対の第２ローラ１０５、１０６と印刷版との間で滑りが生じることなく搬送される。これにより、印刷版に傷を生じさせることなく、第１ローラ１０３、１０４と第２ローラ１０５、１０６との間を搬送することが可能となる。
【００３５】
図４は、この発明の第１実施形態に係る印刷装置における展張ローラ１１１、従動ローラ１１２、遮蔽部材１４０、遮蔽部材移動機構１５０、押圧ローラ１２０、および、押圧ローラ移動機構１３０の主要部を示す概略側面図である。また、図５は、この発明の第１実施形態に係る印刷装置における遮蔽部材１４０、遮蔽部材移動機構１５０、押圧ローラ１２０、および押圧ローラ移動機構１３０を、それらの配置関係を平面に展開して示す説明図である。
【００３６】
押圧ローラ１２０は、印刷版を第１の版胴１１の外周部に向けて押圧するためのものである。この押圧ローラ１２０は、押圧ローラ回転軸１３３を中心に回転可能に構成されている。また、この押圧ローラ１２０は、押圧ローラ移動機構１３０の駆動により、押圧ローラ１２０を、図４において実線で示す第１の版胴１１の外周部から離隔した待機位置と、図４において二点鎖線で示す第１の版胴１１の外周部に近接した押圧位置との間を移動する。また、押圧ローラ１２０が、待機位置に配置されるときには、押圧ローラ１２０と第１の版胴１１との間を遮蔽部材１４０が遮蔽する。
【００３７】
押圧ローラ移動機構１３０は、支持部材１３５と、この支持部材１３５に支持され、第１の版胴１１の回転軸と垂直方向に伸縮可能なエアシリンダ１３１と、エアシリンダ１３１のシリンダロッド１３１ａに接続され、エアシリンダ１３１の伸縮駆動により軸１３４を中心に回動する伝達アーム１３２とを備える。この伝達アーム１３２の一端には、押圧ローラ回転軸１３３を中心に押圧ローラ１２０が回転自在に軸支されている。このため、押圧ローラ１２０は、伝達アーム１３２の回動に伴い、軸１３４を中心に曲線状に移動する。従って、押圧ローラ１２０および押圧ローラ移動機構１３０を配置させるためのスペースを縮小させることができ、印刷版を先端咥え機構１１ａにより保持される直後の位置から押圧することが可能となる。
【００３８】
遮蔽部材１４０は、押圧ローラ１２０が待機位置に配置されるときに押圧ローラ１２０と第１の版胴１１との間を遮蔽し、押圧ローラ１２０に対して印刷装置内に飛散するインキ等の汚れが付着することを防止するためのものであり、この実施の形態では、遮蔽部材１４０は押圧ローラ１２０の表面の約半周分程度をカバーする凹形状を採用している。この遮蔽部材１４０は、遮蔽部材移動機構１５０の駆動により、図４において実線で示す押圧ローラ１２０と第１の版胴１１との間を遮蔽する遮蔽位置と、図４において二点鎖線で示す押圧ローラ１２０と第１の版胴１１との間を開放する開放位置との間で移動する。
【００３９】
遮蔽部材移動機構１５０は、支持部材１３５に配設されるラック１５２と、押圧ローラ回転軸１３３と同軸上に配設される歯車１５１とを備える。ラック１５２には歯車１５１と歯合する歯列が円周上に形成され、歯車１５１には、遮蔽部材１４０が固定される。このため、この歯車１５１が、ラック１５２と協働することにより、伝達アーム１３２の回動に伴って、遮蔽部材１４０を押圧ローラ回転軸１３３周りに回転させる。これにより、遮蔽部材１４０は、押圧ローラ１２０の移動と同期して回転する。そして、押圧ローラ１２０が押圧位置に移動するタイミングと遮蔽部材１４０が開放位置に移動するタイミングとを容易に合わせることが可能となる。
【００４０】
図６は、この印刷装置の主要な電気的構成を示すブロック図である。この印刷装置は、装置の制御に必要な動作プログラムが格納されたＲＯＭ４０１と、制御時にデータ等が一時的にストアされるＲＡＭ４０２と、ＣＰＵ４０３とからなる制御部４００を備える。この制御部は３００は、インタフェース４０４を介して、展張ローラ１１１を回転駆動させるモータ１１７、および、押圧ローラ１２０の移動の動力源としてのエアシリンダ１３１の駆動信号を発生させる駆動回路４０５と接続されている。印刷装置はこの制御部４００により制御され、後述する印刷版装着を実行する。
【００４１】
図７は、この発明の第１実施形態に係る印刷装置において、未露光の印刷版を第１の版胴１１に装着するまでの工程を示すフローチャートである。
【００４２】
以上に説明したこの発明の第１実施形態に係る印刷装置において第１の版胴に印刷版を装着するときには、まず、一対の第３ローラ１１８、１１９によりロール状に巻回された印刷版を収納部４１から引き出す。そして、所定の長さの印刷版が引き出されると、カッタ４２により印刷版を切断する。切断された印刷版は、各ローラ１０３、１０４、１０５、１０６、１１１、１１２の回転駆動により、第１の版胴１１に印刷版を搬送する（ステップＳ１）。
【００４３】
ステップＳ１において、第１の版胴１１に印刷版を搬送し、印刷版の先端部が先端部咥え機構１１ａにより保持可能な位置に配設されたときにモータ１１７による展張ローラ１１１への回転駆動を停止する（ステップＳ２）。このため、印刷版の第１の版胴１１への搬送も停止される。なお、印刷版が先端部咥え機構１１ａにより保持可能な位置に配設されたかどうかは、モータ１１７の駆動時間に基づいて判断してもよいし、図示しないセンサで検知してもよい。
【００４４】
ステップＳ２において、モータ１１７による展張ローラ１１１への回転駆動を停止した後、印刷版の先端部を先端部咥え機構１１ａにより保持する（ステップＳ３）。
【００４５】
次に、待機位置に配置される押圧ローラ１２０を押圧位置に移動させて、印刷版を第１の版胴１１の外周部に向けて押圧する。
【００４６】
ここで、押圧ローラ１２０の待機位置と押圧位置との間の移動動作を図８および図９を用いて説明する。図８は、この発明の第１実施形態に係る印刷装置における押圧ローラ１２０が待機位置に配置された状態を示す側面概略図である。また、図９は、この発明の第１実施形態に係る印刷装置における押圧ローラ１２０が押圧位置に配置された状態を示す側面概略図である。
【００４７】
押圧ローラ１２０を図８に示す待機位置から図９に示す押圧位置へ移動させるときには、まず、エアシリンダ１３１のシリンダロッド１３１ａを第１の版胴１１の回転軸と垂直方向に伸張させる。このシリンダロッド１３１ａの伸張により、伝達アーム１３２が軸１３４を中心に回動する。そして、伝達アーム１３２の回動動作に伴い、伝達アーム１３２に接続される押圧ローラ回転軸１３３が移動することにより、押圧ローラ１２０が押圧位置へ移動する。なお、遮蔽部材移動機構１５０は、押圧ローラ軸１３３回りに回転可能な歯車１５１を備える。このため、この押圧ローラ１２０の移動に伴い、押圧ローラ軸１３３回りに歯車１５１が回転する。そして、歯車１５１に固定される遮蔽部材１４０は、ローラ回転軸１３３が軸１３４を中心に移動することにより、歯車１５１が回転し、図８に示す遮蔽位置から図９に示す開放位置へ移動する。
【００４８】
次に、展張ローラ１１１に対しトルク伝達クラッチ１１６により負荷を付与した状態で、かつ、印刷版を押圧ローラ１２０により第１の版胴１１の外周部に向けて押圧した状態で、第１の版胴１１を図９の時計回り方向に回転させる（ステップＳ４）。
【００４９】
ステップＳ４において、第１の版胴１１が回転すると、印刷版は、トルク伝達クラッチ１１６による負荷よりも大きな力で第１の版胴１１の回転方向に引っ張られる。そして、先端部咥え機構１１ａにより先端部が保持された印刷版が押圧ローラ１２０により押圧された状態で、印刷版が第１の版胴１１の外周部に巻回される。このため、印刷版にたるみを生じさせることなく第１の版胴１１の外周部に装着させることができる。なお、展張ローラ回転軸１１３が一方向クラッチ１１５に接続されている。このことから、印刷版が展張ローラ１１１、従動ローラ１１２を通過するときに、展張ローラ１１１と従動ローラ１１２とは自由に回転し、展張ローラ１１１、従動ローラ１１２と印刷版との間で滑りが生じることなく搬送される。
【００５０】
そして、印刷版の後端部が後端部咥え機構により保持可能な位置に配設されたときに、第１の版胴１１の回転を停止する（ステップＳ５）。その後、印刷版の後端部を後端部咥え機構により保持する（ステップＳ６）。
【００５１】
次に、この発明の他の実施形態について、図面に基づいて説明する。
【００５２】
図１０は、この発明の第２実施形態に係る印刷装置における遮蔽部材２４０および遮蔽部材移動機構２５０を示す説明図である。これらの図のうち、図１０（ａ）は遮蔽部材２４０が遮蔽位置に配置される状態を示すものであり、図１０（ｂ）は遮蔽部材２４０が開放位置に配置される状態を示すものである。
【００５３】
この発明の第２実施形態に係る印刷装置は、遮蔽部材２４０が、第１の版胴１１の回転軸に垂直な方向に直線移動する点で、遮蔽部材１４０が回転して移動する第１実施形態に係る印刷装置とは異なる。第２実施形態に係る印刷装置における遮蔽部材２４０および遮蔽部材移動機構２５０を採用することにより、第１実施形態と同様に印刷動作中に押圧ローラ１２０にインキミストが付着することを防止することができる。
【００５４】
また、図１１は、この発明の第３実施形態に係る印刷装置における遮蔽部材３４０および遮蔽部材移動機構３５０を示す説明図である。
【００５５】
この発明の第３実施形態に係る印刷装置は、遮蔽部材３４０が、押圧ローラ１２０の移動用の開口部を有する筐体３４１と、筐体３４１の開口部を遮蔽する遮蔽位置と開口部を開放する開放位置との間を移動する蓋体３４２とにより構成される点で、第１実施形態および第２実施形態に係る印刷装置とは異なる。第３実施形態に係る印刷装置における遮蔽部材３４０を採用することにより、押圧ローラ１２０の第１の版胴１１に対面する範囲だけでなく、押圧ローラ１２０全体に対して印刷装置内の汚れが付着することを防止することが可能となる。
【００５６】
なお、より好ましくは、ファン３４３により機外から筐体３４１内に向けてフレッシュ・エアを供給する。これにより、筐体３４１内へのインキミストの混入をさらに減少させることができる。
【００５７】
なお、上述した実施形態においては、展張ローラ１１１は搬送される印刷版の裏面側に当接可能に配置される構成としているが、搬送される印刷版の表面側に当接可能に配置される構成としてもよい。ただし、非画像記録面である裏面側に設けることが好ましい。
【００５８】
また、上述した実施形態においては、トルク伝達クラッチ１１６は展張ローラ回転軸１１３に接続される構成としているが、従動ローラ回転軸１１４に接続される構成としてもよい。
【００５９】
さらに、上述した実施形態においては、一対の搬送ローラ１１０の一方をモータ１１７と接続される展張ローラ１１１とする構成としているが、両方を駆動手段と接続される展張ローラ１１１とする構成としてもよい。
【図面の簡単な説明】
【００６０】
【図１】この発明の第１実施形態に係る印刷装置の側面概略図である。
【図２】この発明の第１実施形態に係る印刷装置における印刷版供給装置１００を、収納部４１、押圧ローラ１２０、押圧ローラ移動機構１３０、および第１の版胴１１とともに示す概略図である。
【図３】図２における印刷版供給装置１００の一対の搬送ローラ１１１、１１２を示す正面図である。
【図４】この発明の第１実施形態に係る印刷装置における展張ローラ１１１、従動ローラ１１２、遮蔽部材１４０、遮蔽部材移動機構１５０、押圧ローラ１２０、および押圧ローラ移動機構１３０の主要部を示す概略側面図である。
【図５】この発明の第１実施形態に係る印刷装置における遮蔽部材１４０、遮蔽部材移動機構１５０、押圧ローラ１２０、および押圧ローラ移動機構１３０を、それらの配置関係を平面に展開して示す説明図である。
【図６】この印刷装置の主要な電気的構成を示すブロック図である。
【図７】この発明の第１実施形態に係る印刷装置において未露光の印刷版を第１の版胴１１に装着するまでの工程を示すフローチャートである。
【図８】この発明の第１実施形態に係る印刷装置における押圧ローラ１２０が待機位置に配置される様子を示す側面概略図である。
【図９】この発明の第１実施形態に係る印刷装置における押圧ローラ１２０が押圧位置に配置される様子を示す側面概略図である。
【図１０】この発明の第２実施形態に係る印刷装置における遮蔽部材２４０および遮蔽部材移動機構２５０を示す説明図である。
【図１１】この発明の第３実施形態に係る印刷装置における遮蔽部材３４０および遮蔽部材移動機構３５０を示す説明図である。
【符号の説明】
【００６１】
１１      第１の版胴
１２      第２の版胴
１３      第１のブランケット胴
１４      第２のブランケット胴
１５      第１の圧胴
１６      第２の圧胴
１７      給紙胴
１８      渡し胴
１９      排紙胴
２０      インキ供給装置
２１      湿し水供給装置
２３      チェーン
３１      給紙部
３２      排紙部
３５      画像記録装置
３６      画像記録装置
４１      収納部
４２      カッタ
４３      収納部
１００    印刷版供給装置
１０３    第１ローラ
１０４    第１ローラ
１０５    第２ローラ
１０６    第２ローラ
１１１    展張ローラ
１１２    従動ローラ
１１３    展張ローラ回転軸
１１４    従動ローラ回転軸
１１５    一方向クラッチ
１１６    トルク伝達クラッチ
１１７    モータ
１１８    第３ローラ
１１９    第３ローラ
１２０    押圧ローラ
１３０    押圧ローラ移動機構
１３１    エアシリンダ
１３２    伝達アーム
１３３    押圧ローラ回転軸
１３４    軸
１３５    支持部材
１４０    遮蔽部材
１５０    遮蔽部材移動機構
１５１    歯車
１５２    ラック
２００    印刷版供給装置
２２０    押圧ローラ
２３０    押圧ローラ移動機構
２４０    遮蔽部材
２５０    遮蔽部材移動機構
３４０    遮蔽部材
３４１    筐体
３４２    蓋体
４００    制御部
４０１    ＲＯＭ
４０２    ＲＡＭ
４０３    ＣＰＵ
４０４    インターフェース
４０５    駆動回路
【図１】
2005297440.tif 000003
【図２】
2005297440.tif 000004
【図３】
2005297440.tif 000005
【図４】
2005297440.tif 000006
【図５】
2005297440.tif 000007
【図６】
2005297440.tif 000008
【図７】
2005297440.tif 000009
【図８】
2005297440.tif 000010
【図９】
2005297440.tif 000011
【図１０】
2005297440.tif 000012
【図１１】
2005297440.tif 000013